(57)【要約】【課題】  パラソルなどを所望の姿勢で支持可能な保持具を提案すること。【解決手段】  パラソルをテーブル天板などの被固定部材２に取り付けるための保持具１は、被固定部材２に締め付けボルトによって締め付け固定した固定部材３と、この固定部材３の前面に取り付けた連結板４と、連結板４の前面４ａに取り付けた円筒６と、これら三部材を締結固定している締結ボルト６を有している。連結板前面４ａには、ボルト穴４ｃを中心として同心円上に係合突起４１〜４４が形成され、円筒６の外周面にはそれらにはめ込み可能な係合穴６ｄが形成されている。係合突起４１〜４４の一つを選択して係合穴６ｄにはめ込み、その状態で締結ボルト６で締結することにより、円筒を垂直、水平、前後に傾斜した各姿勢６１〜６４で、取り付けることができ、そこに差し込まれるパラソルを対応する姿勢で支持することができる。【選択図】  図１
2006055487.tif 000002
【特許請求の範囲】
【請求項１】
締め付けボルトによって所定厚さの被固定部材を挟み込むことにより、当該被固定部材に締結固定される固定部材と、
パラソルの柄などの棒状物品を差し込み固定可能な筒と、
前記筒と前記固定具の間に取り付けられる連結板と、
前記筒に形成した筒側ボルト穴および前記連結板に形成した板側ボルト穴に差し通して、前記固定部材に形成したねじ穴にねじ込み固定することにより、前記連結板を挟み前記筒を前記固定具に締結固定可能な締結ボルトと、
前記連結板における筒取付面において、前記板側ボルト穴から同一の距離の異なる位置に形成した複数個の板側係合部と、
前記筒の外周面において、前記筒側ボルト穴から前記距離と同一の距離の位置に形成され、前記板側係合部に係合可能な筒側係合部とを有し、
前記筒側係合部を係合させる前記板側係合部を選択することにより、前記連結板に対する前記筒の取付姿勢が規定されるようになっていることを特徴とする棒状物品の保持具。
【請求項２】
請求項１において、
前記連結板の前記筒取付面に形成されている複数の前記板側係合部は、前記板側ボルト穴を中心として同心円上に配置されていることを特徴とする棒状物品の保持具。
【請求項３】
請求項１または２において、
前記固定部材における連結板取付面において、前記ねじ穴から第２の距離の位置に形成した部材側係合部と、
前記連結板における固定部材取付面において、前記板側ボルト穴から前記第２の距離の位置に形成され、前記部材側係合部に係合可能な第２の板側係合部とを有していることを特徴とする棒状物品の保持具。
【請求項４】
請求項３において、
前記固定部材に形成した前記連結板取付面とは異なる第２の連結板取付面と、
前記第２の連結板取付面に形成され、前記締結ボルトをねじ込み固定可能な第２のねじ穴と、
前記第２の連結板取付面において、前記第２のねじ穴から前記第２の距離の位置に形成され、前記第２の板側係合部に係合可能な第２の部材側係合部とを有していることを特徴とする棒状物品の保持具。
【請求項５】
請求項４において、
前記固定部材は、一定の間隔で対峙している上板部分および下板部分と、これらを相互に連結している側板部分とを備えており、
前記側板部分の外側表面が前記連結板取付面であり、前記下板部分の外側表面が前記第２の連結板取付面であり、
前記締め付けボルトは前記上板部分に対して垂直にねじ込まれており、
前記下板部分には垂直にピンがねじ込み固定されており、
前記下板部分の前記第２の部材側係合部は、当該下板部分の外側表面から突出している前記ピンの端部であり、
前記下板部分の内側表面から突出している前記ピンにおける先細りの円錐状先端部分と、前記締め付けボルトの先端部分との間に前記被固定部材を締め付け固定することにより、前記固定部材が当該被固定部材に固定された状態が形成されることを特徴とする棒状物品の保持具。
【発明の詳細な説明】
【技術分野】
【０００１】
本発明は、パラソルの柄、釣竿などの棒状物品を支持するための棒状物品の保持具に関し、特に、垂直、水平、傾斜姿勢などの様々な姿勢で棒状物品を支持可能な棒状物品の保持具に関するものである。また、被固定部材の形成方向が、水平、垂直など、様々な方向であったとしても取り付けることのできる棒状物品の保持具に関するものである。
【背景技術】
【０００２】
従来、パラソルの柄などの棒状物品を保持するための保持具としては、棒状物品の下端部分を差し込み可能な筒の下端に先細状のおねじ部を一体形成し、当該筒を地中にねじ込むことにより、パラソルなどを垂直に支えるようにしたものが提案されている（特許文献１）。また、電気スタンドなどに見られるように、机などの被固定部材にコの字状の固定部材を締め付けねじを用いて締め付け、この固定部材に電気スタンド本体部分の下端部分を差し込むことにより支持するものも知られている。
【特許文献１】特開平９−３２４５５８号公報
【発明の開示】
【発明が解決しようとする課題】
【０００３】
しかしながら、従来において知られている棒状物品の保持具では、棒状物品の取付姿勢が制限されており、垂直あるいは予め定められた角度でしか取り付けることができない。または、棒状物品を取り付けるときの被固定部材の形状が制限されており、方向の異なる被固定部材に取り付けることができないという問題もある。このために、従来の棒状物品の保持具は使い勝手が悪い。
【０００４】
本発明の課題は、棒状物品の取り付け姿勢を変更可能な機能を備え、また、被固定部材の設置方向が異なる場合でも取り付け可能な棒状物品の保持具を提案することにある。
【課題を解決するための手段】
【０００５】
上記の課題を解決するために、本発明の棒状物品の保持具は、
締め付けボルトによって所定厚さの被固定部材を挟み込むことにより、当該被固定部材に締結固定される固定部材と、
パラソルの柄などの棒状物品を差し込み固定可能な筒と、
前記筒と前記固定具の間に取り付けられる連結板と、
前記筒に形成した筒側ボルト穴および前記連結板に形成した板側ボルト穴に差し通して、前記固定部材に形成したねじ穴にねじ込み固定することにより、前記連結板を挟み前記筒を前記固定具に締結固定可能な締結ボルトと、
前記連結板における筒取付面において、前記板側ボルト穴から同一の距離の異なる位置に形成した複数個の板側係合部と、
前記筒の外周面において、前記筒側ボルト穴から前記距離と同一の距離の位置に形成され、前記係合部が係合可能な筒側係合部とを有し、
前記筒側係合部を係合させる前記板側係合部を選択することにより、前記連結板に対する前記筒の取付姿勢が規定されるようになっていることを特徴としている。
【０００６】
前記連結板の前記筒取付面に形成されている前記板側係合部が多数個の場合には、これらの板側係合部を、前記板側ボルト穴を中心として同心円上に配置すればよい。
【０００７】
また、前記固定部材と前記連結板との間も確実に連結するためには、前記固定部材における連結板取付面において、前記ねじ穴から第２の距離の位置に形成した部材側係合部と、前記連結板における固定部材取付面において、前記板側ボルト穴から前記第２の距離の位置に形成され、前記部材側係合部に係合可能な第２の板側係合部とを有していることが望ましい。
【０００８】
さらに、本発明の保持具を取り付ける被固定部材が水平、垂直な場合などに対応できるようにするためには、前記固定部材に形成した前記連結板取付面とは異なる第２の連結板取付面と、前記第２の連結板取付面に形成され、前記連結ボルトをねじ込み固定可能な第２のねじ穴と、前記第２の連結板取付面において、前記第２のねじ穴から前記第２の距離の位置に形成され、前記第２の板側係合部に係合可能な第２の部材側係合部とを有していることが望ましい。
【０００９】
被固定部材の状態に応じてそこに固定した固定部材における前記連結板取付面および前記第２の連結板取付面のいずれかに前記連結板を取り付けることにより、棒状物品を、所望の取り付け姿勢となるように支持することが可能になる。また、前記連結板を挟むことにより、前記筒を取り付けるための十分な取り付け面を確保できる。勿論、連結板取付面を３面形成することも可能である。
【００１０】
本発明の典型的な構成を備えた保持具では、前記固定部材は、一定の間隔で対峙している上板部分および下板部分と、これらを相互に連結している側板部分とを備えており、前記側板部分の外側表面が前記連結板取付面であり、前記下板部分の外側表面が前記第２の連結板取付面であり、前記締め付けボルトは前記上板部分に対して垂直にねじ込まれており、前記下板部分には垂直にピンがねじ込み固定されており、前記下板部分の前記第２の部材側係合部は、当該下板部分の外側表面から突出している前記ピンの端部である。この場合、前記下板部分の内側表面から突出している前記ピンにおける先細りの円錐状先端部分と、前記締め付けボルトの先端部分との間に、前記被固定部材を締め付け固定することにより、前記固定部材が当該被固定部材に固定された状態が形成される。
【発明の効果】
【００１１】
本発明の棒状物品の保持具は、被固定部材に固定される固定部材に対して、連結板を挟み、棒状物品が差し込み固定される筒を、異なる姿勢で取り付け可能としてある。連結板の側の板側係合部を適切な位置に形成しておけば、垂直、水平、所定角度毎の傾斜姿勢となるように、棒状物品を支持することができる。また、連結板を介在させてあるので、固定部材に対して直接に筒を取り付ける場合とは異なり、筒の取り付け姿勢を変えても、筒を連結板を介して固定部材に確実に固定できる。よって、日よけ用のパラソルなどの重量のある物品を支持することができる。
【００１２】
さらに、固定部材に複数の連結板取付面を形成しておけば、被固定部材が垂直状態に配置されている場合であっても、筒を所望の取り付け姿勢で支持することができる。
【発明を実施するための最良の形態】
【００１３】
以下に、図面を参照して本発明を適用した棒状物品の保持具の例を説明する。
【００１４】
図１は本発明を適用したパラソル支持用の保持具の例を示す斜視図および側面図であり、図２は前側から見た場合の分解斜視図および後側から見た場合の分解斜視図である。これらの図には、テーブルなどのように水平に設けられている被固定部材に取り付ける場合を示してある。本例のパラソル支持用の保持具１は、所定厚さのテーブルなどの被固定部材２に締め付け固定される固定部材３と、連結板４と、締結ボルト５によって連結板５を介して固定部材３に締結固定された円筒６とを有している。円筒６にはその上端開口６ａからパラソルの円柱状の柄７を差し込み固定できる。締結ボルト５を緩めて外すと、固定部材３から連結板４を取り外すことができ、連結板４から円筒６も取り外すことができる。また、本例では、図１において想像線で示すように、円筒６を垂直姿勢６１、水平姿勢６２および左右に同一角度だけ傾斜した傾斜姿勢６３、６４で、連結板４に取り付けることが可能となっている。
【００１５】
図３は固定部材３を示す正面図、側面図および底面部である。これらの図も参照して説明すると、固定部材３は例えばコの字状をした金属金具であり、平行に延びる上板部分３１および下板部分３２と、これらの前縁部分を連結している直角に延びる前板部分３３とを備えている。上板部分３１には、ここを垂直に貫通する状態で左右一対の締め付けボルト３４、３５が取り付けられ、これらのボルト３４、３５の下端には先端面が鋸歯状となったカップ状の締結具３４ａ、３５ａが取り付けられている。下板部分３２には、各ボルト３４、３５に対峙する位置に、それぞれピン３６、３７がねじ込み固定されている。ピン３６、３７における下板部分３２の上面３２ａから突出している上端部分は円錐状先端部３６ａ、３７ａとなっており、その円柱状の下端部分３６ｂ、３７ｂは、下板部分３２の下面３２ｂから所定量突出している。被固定部材２を、締め付けボルト３４、３５と、ピン３６、３７の間に挟み、締め付けボルト３４、３５をねじ込むことにより、固定部材３が被固定部材２に固定される。
【００１６】
固定部材３の前板部分３３の前面３３ａは連結板取付面であり、この連結板取付面３３ａの下側中央部分には締結ボルト５をねじ込み固定可能なねじ穴３３ｂが当該前板部分３３を貫通状態に形成されている。また、ねじ穴３３ｂより僅かに下側であって、当該ねじ穴３３ｂを中心として、左右に同一の距離Ｌ１の所には、円形の係合突起３３ｃ、３３ｄ（部材側係合部）が形成されている。
【００１７】
ここで、本例では、固定部材３の下面３２ｂから突出している一対のピン３６、３７の下端部分３６ｂ、３７ｂの間にも、締結ボルト５をねじ込み固定可能な第２のねじ穴３２ｃが形成されている。この第２のねじ穴３２ｃと各ピン３６、３７の配置関係は、連結板取付面３３ａにおけるねじ穴３３ｂと係合突起３３ｃ、３３ｄの配置関係と同一とされて、当該下面３２ｂが後述のように、連結板４を取り付け可能な第２の連結板取付面として機能する。
【００１８】
次に、図４は連結板４を示す正面図である。この図も参照して説明すると、連結板４は、一定の厚さの金属板などから形成されており、前面４ａが円筒取付面とされ、裏面４ｂが固定部材取付面とされている。連結板４における下側部分の中央には、締結ボルト５を貫通させることのできる板側ボルト穴４ｃが形成されている。この板側ボルト穴４ｃの両側には、距離Ｌの所に係合穴４ｄ、４ｅが形成されており、これらの位置関係は、固定部材３の連結板取付面３３ａ、および第２の連結板取付面３２ｂに形成されているねじ穴と一対の係合突起の配置関係と同一とされている。したがって、板側ボルト穴４ｃをねじ穴３２ｃに一致させると、係合穴４ｄ、４ｅに、係合突起として機能するピン下端部分３６ｂ、３７ｂをはめ込むことができ、同様に、板側ボルト穴４ｃをねじ穴３３ｂに一致させると、係合穴４ｄ、４ｅに、係合突起３３ｃ、３３ｄをはめ込むことができる。
【００１９】
連結板４の前面４ａには、板側ボルト穴４ｃを中心として、同心円上に、４個の円形の係合突起４１〜４４（板側係合部）が形成されている。係合突起４１は横方に位置し、係合突起４３は真上に位置しており、残りの係合突起４２、４４は係合突起４３の左右に対称状態で位置している。
【００２０】
一方、円筒６は例えば金属製であり、その下端側の部位の外周面部分には、直径方向の両側位置に、締結ボルト５を差し通すための一対の筒側ボルト穴６ｂ、６ｃが形成されている。これらに差し通された締結ボルト５の脚部分５ａによって、上端開口６ａから差し込まれたパラソルの柄７の下端が支持された状態になる。また、円筒６の外周面には、一方の筒ボルト穴６ｃから円筒中心軸線の方向に距離Ｌ２だけ上側の所に、係合穴６ｄ（筒側係合部）が形成されている。距離Ｌ２は、連結板４の前面４ａにおけるボルト穴と各係合突起の距離と同一であり、係合穴６ｄは各係合突起をはめ込み可能な大きさとされている。
【００２１】
（パラソルの取付操作手順）
次に、本例の保持具１を用いて、テーブル天板などの被固定部材２にパラソルを取り付ける操作手順を説明する。まず、被固定部材２が水平なテーブル天板などの場合には、固定部材３を図１に示すように横向きで当該被固定部材２に固定する。次に、連結板４の裏面４ｂを固定部材３の前面に向け、ボルト穴４ｃをねじ穴３３ｂに位置決めすると共に、左右の係合穴４ｄ、４ｅを係合突起３３ｃ、３３ｄにそれぞれ位置決めし、この状態で、連結板裏面４ｂを固定部材前面３３ａに押し付ける。次に、連結板４の前面４ａのボルト穴に円筒６のボルト穴６ｃを位置決めする。そして、円筒６の係合穴６ｄを、４個の係合突起４１〜４４のうちのいずれか一つに位置決めし、この状態で、円筒６を連結板４の前面に押し付ける。この後は、締結ボルト５を筒側ボルト穴６ｂ、６ｃおよび板側ボルト穴４ｃに差し通して、固定部材３のねじ穴３３ｂにねじ込み、連結板４を挟み、円筒６を固定部材４に締結固定する。
【００２２】
円筒６を連結板４に取り付ける際に、円筒の係合穴６ｄを係合突起４１〜４４のいずれに位置決めするかによって、円筒６の取付姿勢を選択できる。係合突起４１に合わせると円筒を水平姿勢６１で取り付けることができ、係合突起４３に合わせると円筒６を垂直姿勢６３で取り付けることができる。また、係合突起４２または４３に合わせると、円筒６を前後に所定角度だけ傾斜した姿勢６２、６３で取り付けることができる。この結果、この円筒６に取り付けるパラソル等の棒状物品を、垂直、水平あるいは傾斜姿勢で支持することができる。
【００２３】
（各種の取り付け例）
次に、被固定部材２が水平ではなく、例えば、垂直状態の場合には、次にようにして、パラソルを取り付けることができる。
【００２４】
まず、図５に示すように、垂直に設置されている被固定部材２における水平な上端部分に取り付ける場合には、固定部材３を下向き状態で被固定部材２に固定する。次に、固定部材３における垂直面となっている下面３２ｂ（第２の連結板取付面）に、連結板４を位置決めして押し付け、当該連結板４の前面４ａに円筒６を位置決めして押し付け、最後に、締結ボルト６によって三部材を締結固定すればよい。この場合においても、円筒６を水平、垂直および前後に傾斜した姿勢で取り付けることができるので、パラソルを水平、垂直、前後に傾斜した姿勢で支持することができる。
【００２５】
また、図６には、図５における場合と同一状態で固定部材３、連結板４を連結した場合において、垂直に設置されている被固定部材２における垂直な側端部分に当該保持具１を取り付け、パラソルを例えば垂直に支持する場合を示してある。この場合には、円筒６の係合穴６ｄが係合突起４１に位置決めされ、この状態で、締結ボルト６によって三部材が締結固定されている。
【００２６】
次に、図７には、図１の状態に固定部材３および連結板４を連結した場合において、垂直に設置されている被固定部材２における垂直な側端部分に当該保持具１を取り付け、パラソルを例えば垂直に支持する場合を示してある。この場合においては、円筒６の係合穴６ｄが係合突起４１に位置決めされ、この状態で、締結ボルト６によって三部材が締結固定されている。
【００２７】
（その他の実施の形態）
なお、本発明の保持具は、パラソル以外の棒状物品、例えば、釣竿やカメラの脚などの各種の棒状物品を所定の姿勢で支持するための保持具として用いることができる。
【００２８】
また、円筒６の代わりに、矩形筒、多角形の筒などを用いることができる。さらに、係合部の数を増やすことにより、円筒６の取付姿勢をより細かな傾斜角度で取り付けることが可能であり、係合部の個数は適宜設定すればよい。
【００２９】
さらに、連結板を取り付けるための連結板取付面は、上記の例では二面形成してあるが、固定部材に三面以上形成することも可能である。
【図面の簡単な説明】
【００３０】
【図１】本発明を適用した保持具の斜視図および側面図である。
【図２】図１の保持具を前側から見た場合の分解斜視図、および後側から見た場合の分解斜視図である。
【図３】図１の固定具を示す正面図、側面図および底面図である。
【図４】図１の連結板を示す正面図である。
【図５】図１の保持具を垂直な被固定部材における水平な上端部分に取り付けた場合の例を示す斜視図である。
【図６】図１の保持具を垂直な被固定部材における垂直な側端部分に取り付けた場合の例を示す斜視図である。
【図７】図１の保持具を垂直な被固定部材における垂直な側端部分に取り付けた場合の例を示す斜視図である。
【符号の説明】
【００３１】
１    保持具、２    被固定部材、３    固定部材、３１  上板部分、３２  下板部分、３３  側板部分、３３ａ  前面、３４、３５  締め付けボルト、３６、３７  ピン、３６ａ、３７ａ  先端部分、３６ｂ、３７ｂ  端部分、４    連結板、４ａ  前面、４ｂ  後面、４１〜４４  係合突起、４ｃ  ボルト穴、４ｄ、４ｅ  係合穴、５    締結ボルト、６    円筒、６ａ  上端開口、６ｂ、６ｃ  ボルト穴、６ｄ  係合穴
【図１】
2006055487.tif 000003
【図２】
2006055487.tif 000004
【図３】
2006055487.tif 000005
【図４】
2006055487.tif 000006
【図５】
2006055487.tif 000007
【図６】
2006055487.tif 000008
【図７】
2006055487.tif 000009